(57)【要約】【課題】天井面に固定される取付体に対し照明器具を支持する支持体を容易に取り付けることができる照明器具取付装置を提供する。【解決手段】照明器具取付装置９は、下方に突設された挿通部９３を有して天井面に固定される取付体９１と、挿通部９３が挿通される挿通穴９０ａが貫設され照明器具１を支持する支持体９０とを備える。挿通穴９０ａに挿通された挿通部９３の下端が袋ねじ９４に螺合することにより、支持体９０は取付体９１に対して支持される。取付体９１に設けられた係止部９１ｆに貫設された係止穴９１ｇに支持体９０に設けられた被係止爪９０ｄを係入させて支持体９０を取付体９１に仮支持させたままで、係止部９１ｆと係止部９１ｆに対向する位置決め部９１ｈとを支持体９０に収納することによって、容易に挿通部９３を挿通穴９０ａに導入して支持体９０を取付体９１に取り付けることができる。【選択図】図１
2008269992.tif 000002
【特許請求の範囲】
【請求項１】
下方に突設された挿通部を有して天井面に固定される取付体と、取付体の挿通部が挿通される挿通穴が貫設され照明器具を支持する支持体とを備え、支持体の挿通穴に取付体の挿通部が挿通された状態で、挿通穴に挿通不可能な抜け止め部が支持体の下側において挿通部に設けられることにより、支持体が取付体に対して支持される照明器具取付装置であって、
取付体は、挿通部が下方に突設されて天井面に固定される固定部と、固定部から下方に突設された係止部と、固定部から下方に突設され係止部に対向する位置決め部とを有し、
支持体は、挿通穴が上下に貫設されて照明器具を支持する本体部と、本体部から上方に突設された被係止部と、本体部から上方に突設されて被係止部に対向する被位置決め部とを有し、
取付体の係止部には、位置決め部と係止部とが並ぶ方向に貫通した係止穴が少なくとも１個設けられ、
支持体の被係止部には、位置決め部に近づく方向に突出し取付体の係止穴に係入することにより取付体の係止部に支持されうる被係止凸部が少なくとも１個設けられ、
支持体における被係止部と被位置決め部との間隔は、取付体における係止部と位置決め部との間の間隔よりも大きく、
支持体の被係止凸部を取付体の係止穴に係入させ且つ取付体の係止部と位置決め部とをそれぞれ支持体の被係止部と被位置決め部との間に挟んだ状態で、取付体の挿通部が挿入穴に挿入されない位置と、取付体の挿通部が挿入穴に挿通される位置との間で、支持体は取付体に対して上下に変位可能であることを特徴とする照明器具取付装置。
【請求項２】
支持体の本体部の上側には、天井面から引き出された電線と照明器具への給電線とがそれぞれ電気的且つ機械的に接続される端子台が固定されていて、
取付体の位置決め部に関し、挿通部が挿通穴に挿通された状態で下方から見て端子台に対し係止穴の貫通方向に並ばない範囲の少なくとも一部において、挿通部が挿通穴に挿通された状態で下方から見て端子台に対し係止穴の貫通方向に並ぶ範囲よりも固定部からの突出寸法が大きくなっていることを特徴とする請求項１記載の照明器具取付装置。
【発明の詳細な説明】
【技術分野】
【０００１】
本発明は、照明器具取付装置に関するものである。
【背景技術】
【０００２】
従来から、照明器具を施工面に固定するための照明器具取付装置として、施工面にねじ止め等によって固定される固定部と、固定部から施工面に直交する方向に突設された挿通部とを備えるものがある（例えば、特許文献１参照）。挿通部は例えば外周面にねじ山が設けられた円柱形状であり、照明器具に設けられた挿通穴に挿通部が挿通された状態で、挿通穴に挿通不可能なナットのような部材に挿通部を螺合させて抜け止めすることにより、照明器具を照明器具取付装置に保持するのである。
【０００３】
さらに、照明器具取付装置としては、図５に示すように、挿通部９３が設けられた取付体９１に加え、挿通部９３が挿通される挿通穴９０ａが設けられて取付体９１に支持されるとともにワイヤーのような吊り線９６を介して照明器具２を吊下支持する支持体９０とを備えるものがある。図５の照明器具２は、互いに平行に配置された２本の直管型のランプＬの口金Ｌ１が１個ずつ接続される２対４個のソケット７と、ソケット７を下側に保持して支持体９０に吊下げ支持される器具本体２と、透光性を有する材料からなり上面が開口した直方体形状であって器具本体２の下側に取り付けられて器具本体２との間にランプＬを収納するカバー２１とからなる。
【０００４】
図５の例についてより詳しく説明すると、取付体９１は、厚さ方向を上下方向に向けて固定ねじ９２により天井面（図示せず）にねじ止め固定される長方形状の固定部９１ｄと、固定部９１ｄの長手方向の両端部からそれぞれ下方に突設された挿通部と、固定部の短手方向の両端からそれぞれ下方に突設されて互いに対向する位置決め部９１ｉとを有する。
【０００５】
支持体９０は、上面が開放された直方体形状の本体部９０ｅと、本体部９０ｅの下端から本体部９０ｅの底面に沿って外向きに突設された長方形状の鍔部９０ｆとを有する。本体部９０ｅの底面の長手方向の両端部にはそれぞれ取付体９１の挿通部９３が挿通される挿通穴９０ａが上下に貫設されている。また、本体部９０ｅの上面の開口は、上方から見て取付体９１の外形よりも僅かに大きくなっている。また、本体部９０ｅには、照明器具１への給電用の給電線９５が接続されるとともに天井面から引き出された電線Ｃが接続される端子台９５ａが収納されている。すなわち、電線Ｃと給電線９５とは端子台９５ａを介して電気的に接続される。
【０００６】
支持体９０を取付体９１に取り付けるに当っては、位置決め部９１ｉが支持体９０の本体部９０ｅに収納されるように下方から見て支持体９０の位置を取付体９１の位置に合わせ、図６（ａ）の矢印Ａ４で示すように支持体９０を取付体９１に対して上方に変位させて挿通部９３を挿通穴９０ａに挿通させる。その後、図６（ｂ）に示すように、支持体９０の下側において、挿通部９３の下端部を、挿通穴９０ａに挿通不可能な袋ねじ９４又はナット（図示せず）に螺合させて挿通部９３を抜け止めすることにより、支持体９０は取付体９１に対して支持される。
【０００７】
さらに、支持体９０は、吊り紐９７を介して本体部９０ｅの内面に連結されたフック９７ａを有する。支持体９０を取付体９１に取り付ける際には、フック９７ａを取付体９１の固定部９１ｄに設けられた引掛部（図示せず）に引っ掛けることにより、支持体９０を取付体９１に仮支持することができる。
【特許文献１】特開昭５５−１２２３０２号公報
【発明の開示】
【発明が解決しようとする課題】
【０００８】
しかし、フック９７ａによる仮支持の後、挿通部９３を挿通穴９０ａに導入しようとする際に、吊り紐９７が取付体９１の位置決め部９１ｉと支持体９０の上端部との間に挟まって邪魔になることがあった。
【０００９】
本発明は、上記事由に鑑みて為されたものであり、その目的は、天井面に固定される取付体に対し照明器具を支持する支持体を容易に取り付けることができる照明器具取付装置を提供することにある。
【課題を解決するための手段】
【００１０】
請求項１の発明は、下方に突設された挿通部を有して天井面に固定される取付体と、取付体の挿通部が挿通される挿通穴が貫設され照明器具を支持する支持体とを備え、支持体の挿通穴に取付体の挿通部が挿通された状態で、挿通穴に挿通不可能な抜け止め部が支持体の下側において挿通部に設けられることにより、支持体が取付体に対して支持される照明器具取付装置であって、取付体は、挿通部が下方に突設されて天井面に固定される固定部と、固定部から下方に突設された係止部と、固定部から下方に突設され係止部に対向する位置決め部とを有し、支持体は、挿通穴が上下に貫設されて照明器具を支持する本体部と、本体部から上方に突設された被係止部と、本体部から上方に突設されて被係止部に対向する被位置決め部とを有し、取付体の係止部には、位置決め部と係止部とが並ぶ方向に貫通した係止穴が少なくとも１個設けられ、支持体の被係止部には、位置決め部に近づく方向に突出し取付体の係止穴に係入することにより取付体の係止部に支持されうる被係止凸部が少なくとも１個設けられ、支持体における被係止部と被位置決め部との間隔は、取付体における係止部と位置決め部との間の間隔よりも大きく、支持体の被係止凸部を取付体の係止穴に係入させ且つ取付体の係止部と位置決め部とをそれぞれ支持体の被係止部と被位置決め部との間に挟んだ状態で、取付体の挿通部が挿入穴に挿入されない位置と、取付体の挿通部が挿入穴に挿通される位置との間で、支持体は取付体に対して上下に変位可能であることを特徴とする。
【００１１】
この発明によれば、係止穴に被係止凸部を係入させて支持体を取付体に仮支持させた後、位置決め部と被位置決め部とによって位置決めし、そのまま支持体を取付体に対して上方に変位させることにより、容易に挿通部を挿通穴に導入して支持体を取付体に取り付けることができる。
【００１２】
請求項２の発明は、請求項１の発明において、支持体の本体部の上側には、天井面から引き出された電線と照明器具への給電線とがそれぞれ電気的且つ機械的に接続される端子台が固定されていて、取付体の位置決め部に関し、挿通部が挿通穴に挿通された状態で下方から見て端子台に対し係止穴の貫通方向に並ばない範囲の少なくとも一部において、挿通部が挿通穴に挿通された状態で下方から見て端子台に対し係止穴の貫通方向に並ぶ範囲よりも固定部からの突出寸法が大きくなっていることを特徴とする。
【００１３】
この発明によれば、位置決め部の突出寸法を大きくして挿通穴への挿通部の導入を容易としながらも、端子台に電線を接続する際に取付体の位置決め部が邪魔になりにくい。
【発明の効果】
【００１４】
請求項１の発明は、下方に突設された挿通部を有して天井面に固定される取付体と、取付体の挿通部が挿通される挿通穴が貫設され照明器具を支持する支持体とを備え、取付体の係止部には、位置決め部と係止部とが並ぶ方向に貫通した係止穴が少なくとも１個設けられ、支持体の被係止部には、位置決め部に近づく方向に突出し取付体の係止穴に係入することにより取付体の係止部に支持されうる被係止凸部が少なくとも１個設けられ、支持体における被係止部と被位置決め部との間隔は、取付体における係止部と位置決め部との間の間隔よりも大きく、支持体の被係止凸部を取付体の係止穴に係入させ且つ取付体の係止部と位置決め部とをそれぞれ支持体の被係止部と被位置決め部との間に挟んだ状態で、取付体の挿通部が挿入穴に挿入されない位置と、取付体の挿通部が挿入穴に挿通される位置との間で、支持体は取付体に対して上下に変位可能であるので、係止穴に被係止凸部を係入させて支持体を取付体に仮支持させた後、位置決め部と被位置決め部とによって位置決めし、そのまま支持体を取付体に対して上方に変位させることにより、容易に挿通部を挿通穴に導入して支持体を取付体に取り付けることができる。
【００１５】
請求項２の発明は、請求項１の発明において、取付体の位置決め部に関し、挿通部が挿通穴に挿通された状態で下方から見て端子台に対し係止穴の貫通方向に並ばない範囲の少なくとも一部において、挿通部が挿通穴に挿通された状態で下方から見て端子台に対し係止穴の貫通方向に並ぶ範囲よりも固定部からの突出寸法が大きくなっているので、位置決め部の突出寸法を大きくして挿通穴への挿通部の導入を容易としながらも、端子台に電線を接続する際に取付体の位置決め部が邪魔になりにくい。
【発明を実施するための最良の形態】
【００１６】
以下、本発明を実施するための最良の形態について、図面を参照しながら説明する。
【００１７】
図２に示すように、本実施形態の照明器具取付装置９は、天井面ＣＢに固定されて照明器具１を支持するものであり、照明器具１を支持する支持体９０と、天井面ＣＢに固定されて支持体９０を支持する取付体９１と、支持体９０に収納されて照明器具１への給電線９５と天井面ＣＢから引き出された電線Ｃとがそれぞれ接続されて給電線９５と電線Ｃと互いに電気的に接続する端子台９５ａとを備える。
【００１８】
図２の照明器具１は、直管型のランプＬの一方ずつの口金Ｌ１が接続される一対のソケット７と、各ソケット７をそれぞれ下側に保持して天井面から吊下げ支持される器具本体２と、各口金Ｌ１がそれぞれソケット７に接続されたランプＬを下方から見て覆う形で器具本体２に対して吊下げ支持されるランプカバー３と、器具本体２に取り付けられてランプＬの長手方向の外側から見て該ソケットを覆うエンドキャップ４とを備えるものである。器具本体２は、下方から見て長方形状であり、ランプＬは管軸方向を器具本体２の長手方向に向けて取り付けられる。以下、上下方向は図２を基準とし、図２の左下−右上方向（器具本体２の長手方向であり、ランプＬの管軸方向）を左右方向と呼び、図２の左上−右下方向（器具本体２の短手方向）を前後方向と呼ぶ。
【００１９】
器具本体２は、吊り線９６を介して支持体９０に支持されるベース５と、ベース５の下側に取り付けられた反射板６と、それぞれ反射板６に固定されるとともに１個ずつのソケット７を保持する２個の取付具８とを備える。
【００２０】
反射板６は、左右に長く、左右方向に直交する断面での断面形状が全体として上向きに凸の円弧形状となっており、下面が例えば白色に塗装されることにより、ランプＬの光を配光するようになっている。
【００２１】
各ソケット７は、ランプＬの口金Ｌ１に対向する面同士を対向させる形で、反射板６の左右の一端ずつにそれぞれ取り付けられている。ソケット７は周知の技術で実現可能であるので、詳細な図示並びに説明は省略する。
【００２２】
また、器具本体２には、例えば周知の電子安定器からなり電線Ｃと給電線９５とを介して電源を供給され接続線（図示せず）を介してソケット７に電気的に接続されてランプＬを点灯させる点灯装置（図示せず）が保持されている。接続線及び点灯装置はそれぞれ例えば反射板６とベース５との間の隙間に配置される。
【００２３】
ランプカバー３は、例えば金属のような不透明な材料からなる。つまり、本実施形態では、下方へのランプＬの直射光がランプカバー３によって遮られ、下方に照射される光は主に反射板６の下面で反射した（配光された）反射光となる。ランプカバー３の上面には、器具本体２に連結される被支持部（図示せず）が上方へ突設されている。
【００２４】
次に、照明器具取付装置９について詳しく説明する。取付体９１は、上下に扁平であって下方から見て左右に長い長方形状の固定部９１ｄと、下方から見て固定部９１ｄの全周から下方へ突設された周壁部９１ｅとを有する。下方から見て固定部９１ｄの中央には、電線Ｃが挿通される電線挿通穴９１ａが上下に貫設されている。また、固定部９１ｄの左右両端部には、それぞれ取付体９１を天井面ＣＢのねじ穴Ｈにねじ止め固定するための固定ねじ９２が挿通される固定ねじ挿通穴９１ｂが上下に貫設されている。さらに、固定部９１ｄにおいて各固定ねじ挿通穴９１ｂと電線挿通穴９１ａとの間には、それぞれ下方に膨出した膨出部９１ｃが設けられており、各膨出部９１ｃには、それぞれ例えば膨出部９１ｃに上下に貫設された貫通穴に上側からボルトを挿通することにより、ねじ山を有する挿通部９３が下方に垂設されている。
【００２５】
支持体９０は、上面が開口した左右に長い直方体形状であって、上面の開口は、上方から見て取付体９１よりも僅かに大きい寸法形状となっており、支持体９０と取付体９１とを互いに結合させる際には支持体９０を取付体９１に被せることにより、支持体９０は取付体９１に対して位置決めされる。
【００２６】
また、支持体９０の底面には、取付体９１の挿通部９３が挿通される挿通穴９０ａが上下に貫設されており、支持体９０は、挿通穴９０ａに挿通された挿通部９３が、支持体９０の下側において挿通穴９０ａに挿通不可能な抜け止め部としての袋ねじ９４に螺合することにより取付体９１に対して支持される。さらに、端子台９５ａは、支持体９０の内底面に固定されており、支持体９０の底面には、給電線９５が挿通される給電線挿通穴９０ｂが上下に貫設されている。また、支持体９０の底面の左右両端部には、それぞれ例えばワイヤからなり一端が器具本体２に連結された吊り線９６が連結される吊り線連結部９０ｃが設けられている。
【００２７】
ここで、取付体９１の周壁部９１ｅにおいて後側の部位には、それぞれ係止穴９１ｇが前後に貫設された係止部９１ｆが下方に突設されている。さらに、取付体９１の周壁部９１ｅにおいて右側の係止部９１ｆに対向する部位には、突出寸法が係止部９１ｆよりも小さい位置決め部９１ｈが下方に突設されている。
【００２８】
また、図１（ａ）〜（ｄ）及び図３に示すように、支持体９０の後側の内面において係止穴９１ｇに対応する位置には、被係止凸部としての被係止爪９０ｄが前方へ突設されている。被係止爪９０ｄは、例えば支持体９０の壁の一部を２重にしてその内側の壁を曲げ起こすことによって形成されており、後端部が前方へ向かって上向きに傾斜するとともに、前端部が前方へ向かって下向きに傾斜した断面Ｌ字形状となっている。
【００２９】
取付体９１に支持体９０を装着する際には、図３に矢印Ａ１で示すように被係止爪９０ｄを係止穴９１ｇに係入させることによって図１（ａ）に示すように支持体９０を取付体９１に仮支持させることができる。係止穴９１ｇは被係止爪９０ｄの断面形状に対して上下に長くしてあり、係止穴９１ｇに被係止爪９０ｄを係止させたままで、図１（ｂ）に矢印Ａ２で示すように支持体９０の後側の壁を位置決め部９１ｈの後側まで持ち上げて図１（ｃ）に示すように支持体９０を取付体９１に対して位置決めし、さらに図１（ｃ）に矢印Ａ３で示すようにそのまま支持体９０を上方に持ち上げることによって図１（ｄ）に示すように挿通部９３を挿通穴９０ａに導入することができる。その後、挿通部９３の下端部を袋ねじ９４に螺合させれば、取付体９１への支持体９０の装着が完了する。すなわち、支持体９０に関し、後側の壁が請求項における被係止部であり、前側の壁が請求項における被位置決め部である。
【００３０】
ここで、取付体９１の位置決め部９１ｈは、図４に示すように、支持体９０と取付体９１とを結合させた状態において端子台９５ａに対し前後方向（すなわち係止穴９１ｇの貫通方向）に並ばない範囲に設けられている。つまり、位置決め部９１ｈは、取付体９１の周壁部９１ｅのうち請求項における位置決め部として機能しうる後側の壁において、端子台９５ａに対し前後方向に並ばない部位の一部の突出寸法を、端子台９５ａに対し前後方向に並ぶ部位よりも大きくすることによって形成されている。この構成により、位置決め部９１ｈを設けない場合に比べて取付体９１に対する支持体９０の位置決めを容易としながらも、端子台９５ａに対し前後方向に並ぶ部位に位置決め部９１ｈを設ける場合に比べ、端子台９５ａに電線Ｃを接続する際に位置決め部９１ｈが邪魔になりにくい。
【００３１】
上記構成によれば、取付体９１に支持体９０を取り付けるする際に、被係止爪９０を係止穴９１ｇに係止させることによって支持体９０を仮支持させることができ、かつ、位置合わせ後に支持体９０を取付体９１に対して上方に変位させて挿通部９３を挿通穴９０ａに導入する際に被係止爪９０が邪魔にならない。従って、支持体９０を取付体９１に容易に取り付けることができる。
【図面の簡単な説明】
【００３２】
【図１】本発明の実施形態において支持体を取付体に取り付ける方法を示し、（ａ）〜（ｄ）はそれぞれ異なる段階を示す断面図である。
【図２】同上と同上に支持される照明器具とを示す分解斜視図である。
【図３】同上を示す斜視図である。
【図４】同上を示す一部破断した正面図である。
【図５】従来例と従来例に支持される照明器具とを示す分解斜視図である。
【図６】従来例において支持体を取付体に取り付ける方法を示し、（ａ）（ｂ）はそれぞれ異なる段階を示す断面図である。
【符号の説明】
【００３３】
１  照明器具
９  照明器具取付装置
９０  支持体
９０ａ  挿通穴
９０ｄ  被係止爪
９１  取付体
９１ｄ  固定部
９１ｅ  周壁部
９１ｆ  係止部
９１ｇ  係止穴
９１ｈ  位置決め部
９３  挿通部
【図１】
2008269992.tif 000003
【図２】
2008269992.tif 000004
【図３】
2008269992.tif 000005
【図４】
2008269992.tif 000006
【図５】
2008269992.tif 000007
【図６】
2008269992.tif 000008